(57)【特許請求の範囲】
【請求項１】
運動する者が体を鍛えるために用いる運動器具であって、
棒状の本体と、
前記本体の一方の端部である第１端部に配置された重りを取り付けるための重り取付部と、
前記重り取付部の両端に設置された重りがずれないように前記重りを位置決めするための位置決め部材と、
を備え、
前記運動器具の長手方向の長さが、９００mm〜１３００mmであり、
前記本体の長手方向両端のうち少なくとも前記第１端部とは反対側の端部の先端に球状部材が設置されており、前記球状部材の直径が４０mm〜８０mmである運動器具。
【請求項２】
前記重り取付部に取り付けるための重りを更に備え、
前記重りは、
砂を布で包んだ重り本体と、面ファスナーを備えたベルトとを有し、
前記重り取付部に前記重り本体と前記ベルトとを巻き付けて、最後に前記面ファスナーで固定することにより取り付ける請求項１に記載の運動器具。
【請求項３】
前記重り取付部の両端に設置された一対の前記位置決め部材のうち、前記本体の長手方向において第１端部とは反対側の端部側に設置された位置決め部材に隣接してクッション部材が設置されている請求項１または２に記載の運動器具。
【請求項４】
別体として、棒状部材と、前記棒状部材の長手方向両端に接続されている一本のロープと、を更に備え、
前記本体を床に置き、前記ロープを前記本体と前記床との間に通すことにより、前記棒状部材を両手で引っ張って背筋運動を行うことを可能にした請求項１〜３のいずれか１項に記載の運動器具。
【請求項５】
別体として、２つの棒状部材である第１棒状部材と第２棒状部材とを備え、
前記第１棒状部材を床に置いた前記本体の下に前記本体に対して直交して置き、
前記第２棒状部材を床に置いた前記本体の上に前記本体に対して直交して置くことにより、
前記運動する者が、前記第１棒状部材の下に脚の足先側を入れ、前記第２棒状部材の上に脚の根元側を置くことにより、腹筋運動をすることを可能にした請求項１〜３のいずれか１項に記載の運動器具。
【発明の詳細な説明】
【技術分野】
【０００１】
本発明は、運動時に使用する器具であって、特にストレッチをするためや筋肉を鍛えるために用いられる運動器具に関する。
【背景技術】
【０００２】
従来、体を鍛えるための道具として、様々な運動器具が開発されてきた。例えば、特許文献１に記載された運動器具は、第一の棒状体と、前記第一の棒状体から所定の距離を隔てるように、前記第一の棒状体に対し、概ね平行に設けられた第二の棒状体と、前記第一の棒状体と前記第二の棒状体との間に、所定の間隔を隔てるようにして、橋渡しするようにして設けられた、一対の伸縮可能な弾性体と、前記第二の棒状体に設けられ、使用者の左右の骨盤が概ね平行に位置するように、且つ、骨盤がやや前傾ぎみに立つように、前記第二の棒状体を、臀部の盛り上がりの下方と大腿部の境界の部分に押し当てるようにして、使用者の一対の大腿部の各々に取り付けるための、一対の固定手段とを備えている。
これにより、骨盤及び背骨の歪みの矯正と、筋肉を鍛えることとの協働により、この姿勢矯正用運動器具の使用者の姿勢を、正しい姿勢にすることができるとしている。
【０００３】
また、特許文献２に記載された運動器具は、安全カバーパット内の負荷用コイルバネの両端に、伸縮自在の左アームと右アームを設け、その双方両端に取っ手を設けた構成を備えている。
これにより、大型且つ高価なマシーンに代わって、上半身の主だった筋肉部位数カ所を、安価な一本の器具で、マッスル・トレーニングを行うことができるとしている。
【先行技術文献】
【特許文献】
【０００４】
【特許文献１】特開２０１４−６１１６７号公報
【特許文献２】特開２０１２−１４８０３８号公報
【発明の概要】
【発明が解決しようとする課題】
【０００５】
しかしながら、特許文献１及び特許文献２に記載されたような従来の運動器具では、負荷の調整を簡単に行うことができず、ストレッチなども行うことができなかった。
【０００６】
本発明は、かかる実情に鑑み、負荷の調整を簡単に行うことができ、ストレッチ等を含む多彩な運動を一つの器具で可能にする運動器具を提供しようとするものである。
【課題を解決するための手段】
【０００７】
上記各課題は、以下の発明で解決することができる。即ち、本発明の運動器具は、運動する者が体を鍛えるために用いる運動器具であって、棒状の本体と、前記本体の一方の端部である第１端部に配置された重りを取り付けるための重り取付部と、前記重り取付部の両端に設置された重りがずれないように前記重りを位置決めするための位置決め部材と、を備えたことを主要な特徴としている。
これにより、負荷の調整を簡単に行うことができ、ストレッチ等を含む多彩な運動を一つの器具で可能にする運動器具を提供することができる。
【０００８】
また、本発明の運動器具は、前記本体を手で握ったときに手が滑ることを防止するための滑り止め部が前記本体に配置されていることを主要な特徴としている。
これにより、手が滑ることなく運動できるので、運動することが容易になる。
【０００９】
更に、本発明の運動器具は、前記本体の長手方向両端のうち少なくとも一方の先端に球状部材が設置されていることを主要な特徴としている。
これにより、床に運動器具を置いたり、立てかけたりしても床を傷つけることがない。また、運動器具の端部を体に当てて運動するときに、体を痛めることがない。
【００１０】
更にまた、本発明の運動器具は、前記運動器具の長手方向の長さが、９５５mm〜１３５５mmであることを主要な特徴としている。
これにより、運動負荷の調整の自由度を高くすることができるとともに、建物の中での運動において取り回しを容易にすることができる。
【００１１】
また、本発明の運動器具は、一対の前記位置決め部材のうち少なくとも一方は、前記本体の長手方向に移動可能であることを主要な特徴としている。
これにより、重りの数の調整を容易に行うことができ、更に、重りの位置の調整も容易に行うことができる。
【００１２】
更に、本発明の運動器具は、前記重り取付部に取り付けるための重りを更に備えることを主要な特徴としている。
【００１３】
更にまた、本発明の運動器具は、前記球状部材の直径が４０mm〜８０mmであることを主要な特徴としている。
これにより、運動時に体を痛めることなく、かつ、取り扱いを容易にすることができる。
【００１４】
また、本発明の運動器具は、前記重り取付部の両端に設置された一対の前記位置決め部材のうち、前記本体の長手方向において第１端部とは反対側の端部側に設置された位置決め部材に隣接してクッション部材が設置されていることを主要な特徴としている。
これにより、運動時おいて、このクッション部材により、体を痛めることを防ぐことができる。
【００１５】
更に、本発明の運動器具は、別体として、棒状部材と、前記棒状部材の長手方向両端に接続されている一本のロープと、を更に備えていることを主要な特徴としている。
これにより、背筋の運動や、腕の筋肉の運動等を更に行うことができる。
【発明の効果】
【００１６】
負荷の調整を簡単に行うことができ、ストレッチ等を含む多彩な運動を一つの運動器具で行うことができる。
【図面の簡単な説明】
【００１７】
【図１】本発明に係る運動器具の平面図である。
【図２】本発明に係る運動器具に重りを取り付けたときの平面図である。
【図３】腕と胸の筋肉の運動方法を示す説明図である。
【図４】脚の筋肉と腹筋の運動方法について示す説明図である。
【図５】脚の内側の筋肉と腹筋の運動方法について示す説明図である。
【図６】脚の外側の筋肉と腹筋の運動方法について示す説明図である。
【図７】脚の裏側の筋肉と背筋の運動方法について示す説明図である。
【図８】いすに座った状態での腕の筋肉の運動方法について示す説明図である。
【図９】いすに座った状態での腕の筋肉の運動方法について示す説明図である。
【図１０】背筋の運動方法について示す説明図である。
【図１１】背中のストレッチ運動について示す説明図である。
【図１２】肩のストレッチ運動（内向き）について示す説明図である。
【図１３】肩のストレッチ運動（外向き）について示す説明図である。
【図１４】両肩のストレッチ運動について示す説明図である。
【図１５】棒状部材の平面図である。
【図１６】背筋の運動方法を示す説明図である。
【図１７】腹筋の運動方法を示す説明図である。
【発明を実施するための形態】
【００１８】
以下、添付図面に従って本発明の好ましい実施の形態について説明する。本発明は以下の好ましい実施の形態により説明されるが、本発明の範囲を逸脱すること無く、多くの手法により変更を行うことができ、本実施の形態以外の他の実施の形態を利用することができる。従って、本発明の範囲内における全ての変更が特許請求の範囲に含まれる。
また、数値範囲を"〜"の記号を用いて表した場合は、"〜"の両端の数値も範囲内に入るものとする。
【００１９】
＜構成＞
本発明の好適な実施形態について図面を参照して説明する。図１は、本発明に係る運動器具の平面図である。図１（ａ）が本発明の運動器具の一実施形態を示し、図１（ｂ）が、本発明の運動器具に用いられる重りの一実施形態を示す。図１（ｂ）において、上側に記載されている図が重りの裏面の平面図であり、下側に記載されている図が重りの表面の平面図である。
【００２０】
図１（ａ）に示すように、本発明の運動器具１は、棒状の本体１０と、重り１１（（ｂ）に記載）を取り付けるための重り取付部１２と、重り取付部１２に取り付けられた重り１１を位置決めするための位置決め部材１４，１４とを主に備えて構成される。
【００２１】
棒状の本体１０は、手で握りやすい直径を有する円筒形状の棒材である。その円筒形状の断面の直径は、２０mm〜４０mmが好ましく２８mm〜３４mmが最も好ましい。本発明者の鋭意研究によると、円筒形状の断面の直径が２０mm〜４０mmであれば、本発明の運動器具１を手で握っての運動を良好に行うことができるが、この範囲より直径が小さければ、手で握りにくく、かつ、運動時に本体１０が手に食い込んで痛く，この範囲より直径が大きければ手の小さい人にはきわめて握りにくいので良好な運動ができないことが判明した。
【００２２】
また、本発明者の鋭意研究により、この円筒形状の断面の直径の範囲が、２８mm〜３４mmであれば、ほとんどの大人の日本人にとって握りやすく、最も運動しやすいことが判明した。なお、本体１０は、円筒形状であること、即ち、その長手方向に直角な断面が円形であることが望ましいが、この形状に限定するものではなく、断面が多角形でも、楕円形状でも、指の形に合った形状でも、その他どのような形状であっても良い。この場合は、実際に手で握った場合において、親指と人差し指とが接している部分の最大の径が２０mm〜４０mmが好ましく２８mm〜３４mmが最も好ましい。理由は、断面が円である場合と同じである。
【００２３】
本体１０は、重り取付部１２に２０ｋｇの重りを取り付けて、本体１０の長手方向両端部のうち、重り取付部１２が配置されていない方の端部を手で持って動かしても変形しない強度を有することが好ましい。そのため、そのような強度を持つ材料として、金属、木、プラスチック、エンジニアリングプラスチック等を採用することができる。
【００２４】
本体１０の素材として金属を採用する場合は、強度を考慮すると、鉄、ステンレス、アルミニウム、真鍮等を採用することができるが、防さび性等を考えると、ステンレスを用いることが好ましい。
【００２５】
重り取付部１２は、本体１０の両端部のうち一方の端部（以後、第１端部と称する）に配置される。本体１０のもう一方の端部（以後第２端部と称する）には、手で握ったときの手の滑りを防止するための滑り止め部１６が形成される。滑り止め部１６は、滑り止め効果だけでなく、手で握ったときにクッション性があることが好ましい。クッション性があることにより、重い重りを付けて運動しても、手が痛くならないからである。滑り止め部１６は、第２端部だけでなく、本体１０の中央部にも形成されることが好ましい。本体１０の中央部を手で持って運動することもあるからである。
【００２６】
位置決め部材１４は、重り取付部１２に取り付けられた重り１１がずれないように保持するものである。位置決め部材は１４は、重り１１がずれないような形状、大きさであれば良いが、例えば、直径１００mm程度の円盤形状や、一辺１００mm程度の三角形や正方形の板、一辺９０mm以下程度の多角形板等を用いることができる。
【００２７】
位置決め部材１４の材質としては、重り１１を保持できる程度の強度があれば良く、また、運動器具１を床等に置いたときに床を傷つけない部材で構成されていることが好ましい。このような部材として、プラスチックや、発泡ポリウレタン、木等を採用することができる。
【００２８】
位置決め部材１４は、重り取付部１２の両端に設置される。重り１１が本体１０の長手方向のどちらにもずれないようにするためである。重り取付部１２の両端に設置された位置決め部材１４は、少なくとも一方は本体１０の長手方向に移動可能であることが望ましい。移動可能にすることにより、重り取付部１２の領域の大きさを調整することができるので、重り１１の取り付け可能な最大量を調整できる。また、重り１１を少ししか取り付けないときは、重り取付部１２の領域を狭くし、重り１１のぐらつきを防止することができる。
【００２９】
位置決め部材１４を移動可能にするためには、様々な方法が考えられるが、例えば、ネジ１７の押圧力により本体と固定するストッパ１５を２つの位置決め部材１４の両外側に設置する方法がある。位置決め部材１４を移動させるときには、ストッパ１５のネジ１７を緩めてストッパ１５を移動させたい位置に移動させて、ネジ１７で固定し、位置決め部材１４をストッパ１５の位置まで移動させれば良い。
【００３０】
位置決め部材１４は、その中央に空いた穴を本体１０が貫通することにより、本体１０に設置されるように構成することができ、穴と本体１０との摩擦力によりある程度位置決め部材１４の位置が保持できれば、重り１１の重みに対する保持は、ストッパ１５で行うことができる。
【００３１】
また、重り取付部１２の両端にある位置決め部材１４の両方を移動可能に構成し、その両方を移動させれば、結局、重り取付部１２自体を移動させることになる。よって、位置決め部材１４の両方を移動させることにより、重り取付部１２自体を移動させることができるので、同じ重さの重り１１を重り取付部１２に設置しても、第２端部や本体１０の中央部を持つ手にかかる負荷を変えることができる。
【００３２】
滑り止め部１６は、滑り止め効果のある部材を本体１０に取り付けることによって形成されても良いし、本体１０の素材そのものに凹凸加工等の滑り止め効果のある加工を施すことによって形成されても良い。滑り止め部１６として用いることができる滑り止め効果を有する部材としては、ゴム、ポリウレタン等のプラスチック、麻、綿等の自然素材などを採用することができる。
【００３３】
滑り止め効果を有する部材は、発泡ゴムや発泡ポリウレタンなどのクッション素材を本体１０との間に挟み込んで本体１０に取り付けられることが好ましい。よって、例えば、テニスラケットのグリップに使用されるグリップテープなどは、滑り止め効果だけでなく、クッション性も備えているのでそのまま使用することができる。
【００３４】
また、クッション素材を、滑り止め効果を有する部材の下に配置する場合は、第２端部の滑り止め部１６よりも本体の中央部の滑り止め部１６の方のクッション素材の厚みを厚くしておくことが好ましい。運動器具１を用いた運動方法には、一方の手で第１端部をつかみ、もう一方の手で本体１０の中央部をつかんで運動する運動方法があるが、この場合、重り１１の重みは第２端部をつかんだ手よりも本体の中央部をつかんだ手の方にかかるからである。
【００３５】
位置決め部材１４の長手方向に隣接してクッション性のあるクッション部材１８を設置することができる。クッション部材１８は、位置決め部材１４の隣のうち、重り取付部１２が存在しない側に隣接して設置されることが好ましい。また、特に、２つの位置決め部材１４のうち、第２端部側の位置決め部材１４に隣接してクッション部材１８が配置されることが好ましい。
【００３６】
ここにクッション部材１８を設置することにより、運動器具１を使用した運動のうちの足をこの部分に接触させて行う運動において足の痛みを防ぐことができる。クッション部材１８としては、ゴム、プラスチック、発泡ポリウレタン等を使用することができるが、これらに限定されるものでは無い、クッション性がある部材であれば使用することが可能である。
【００３７】
また、本発明の運動器具１は、本体１０の長手方向両端のうち少なくとも一方の先端に球形状の球状部材２０を備えていることが好ましい。球状部材２０を備えることにより、床等に縦置きした際にも床の傷を防ぐことができるだけでは無く、この運動器具１を用いた運動において、この球状部分を膝等の体の部分で挟んだり、この球状部分を体に接触させたりして行う運動があるが、このとき体が痛くなく、運動もしやすくなる。
【００３８】
図１においては、第１端部の先端にある球状部材２０は、ストッパ１５と兼用して用いられる構成で示しているが、このように第１端部側の球状部材２０は、ストッパ１５と兼用しても良いし、ストッパ１５を別に設けても良い。第１端部側の位置決め部材１４も移動可能にするためには、第１端部側のストッパ１５は、球状部材２０と兼用せずに別に設けた方が良い。
【００３９】
重り１１は、重り取付部１２に取り付けられるものならばどのような重りでも使用することができるが、図１（ｂ）に示すように、砂を布で包んだ重り本体と面ファスナーを備えたベルトとを有する構造であって、取り付け対象に重り本体とベルトを巻き付けて、最後にベルトの面ファスナーで固定することができる重りを使用することが好ましい。金属等で構成された硬い重りは、誤って足等に落とすと怪我をしてしまうが、図１（ｂ）に示すように砂を布でくるんだ重りならば、足の上に落としても怪我をしないからである。
【００４０】
また、図２に示すように、重り取付部１２に複数取り付けることができ、重り１１の上から更に巻き付けて別の重り１１を取り付けることもできるので、重さ調整を容易に行うことができる。
【００４１】
次に本発明の運動器具１の各種寸法について説明する。本発明者は、鋭意研究により、各部分の寸法の重要性を見いだし、この運動器具１を使用するに当たって、使いやすく、かつ、効果的な運動ができる最適な寸法を見いだした。
【００４２】
まず、運動器具１の全長は、９００mm〜１３００mmが好ましく、１０００mm〜１２００mmがより好ましい。全長が９００mmよりも小さいと、重り取付部１２と第２端部との距離が近くなるので、第２端部を手で持って運動するときに手にかかる負荷が小さくなり、運動効率が低下する。
【００４３】
また、運動器具１の全長が１３００mmよりも大きいと、長すぎて取り回しに不便であり、特に、家の中で運動するときに、どこかにぶつける可能性が高くなってしまう。運動器具１の全長が９００mm〜１３００mmの場合は、上記問題が生じず、運動効率が高く、取り回しも便利であるが、運動器具１の全長が１０００mm〜１２００mmのときは、それよりも全長が小さいとき、及び全長がそれよりも大きいときと比較して、格段に性能が良くなる。
【００４４】
例えば、全長が１０００mm〜１２００mmよりも小さいときよりも、重り取付部１２の位置移動できる範囲も大きくなり、格段に運動負荷の調整の自由度が増すとともに、全長が１０００mm〜１２００mmより大きいときよりも、日本の平均的な家屋の屋根の高さ、部屋の広さの関係から、格段に取り回しがしやすくなる。
【００４５】
更に、球状部材２０の直径は、４０mm〜８０mmが好ましく、５０mm〜７０mmが最も好ましい。球状部材２０を足で挟んだり、腹部に当てたりして行う運動があるが、球状部材２０の直径が４０mmよりも小さいと、運動時に体に当てたときに体が痛くなり、８０mmよりも大きいと、大きすぎて、運動時に体に当たって不便である。本発明者は、鋭意研究により、体を痛めることなく、取り扱いも便利で、床等に置いても床を傷つけない最適の直径は、５０mm〜７０mmであることを見いだした。
【００４６】
＜本発明の運動器具を用いた運動方法＞
（１）腕と胸の運動
次に、本発明の運動器具１を用いた運動方法について図面を参照して説明する。図３は、腕と胸の筋肉の運動方法を示す説明図である。図３に示すように、運動を行う者である運動者３０は、仰向けに横たわった状態で、運動器具１の球状部材２０を脚の膝の裏側に入れて膝を曲げて挟み込み、片手で滑り止め部１６を握る。
【００４７】
このとき、右腕と胸の筋肉を鍛えるためには、図３に示すように右膝で球状部材２０を挟み、右腕で運動器具１の滑り止め部１６を握る。次に、図３の矢印で示すように、運動器具１の第１端部が上下するように、右腕を伸ばす、縮める、の運動を行う。
【００４８】
左腕と胸の筋肉を鍛えたいときは、左膝で球状部材２０を挟み、左腕で運動器具１の滑り止め部１６を握って、同様に左腕を伸ばす、縮める、の運動を行う。このように運動を行っても、位置決め部材１４によって重り１１は位置決めされているので、重り１１が移動することはない。
【００４９】
腕にかける負荷を変えるときは、重り１１の重さや量を変えても良いが、重り１１を変えなくても、運動器具１の手で握る位置を変えることによって容易に、かつ、きめ細やかに負荷を変えることができる。例えば、負荷を軽くするには、重り１１に近い位置を持てば良いし、負荷を重くするには、重り１１から離れた位置を持てば良いことになる。このように、本発明の運動器具１は、棒状部材の端部に重り１１が取り付けられた構成となっているので、てこの原理により、持つ位置を変えることにより、重り１１自体を変更することなく、容易に、かつ、きめ細かく負荷を変更することができるので、運動を効率的に、かつ、効果的に行うことできる。
【００５０】
本発明の運動器具１の寸法は、このような運動をするのに適した寸法の範囲となっている。運動器具１の寸法が、長手方向に短すぎれば重り１１に近い所しか持つことができず、長すぎれば重り１１から離れたところしか持つことができないが、本発明者の鋭意研究により開発された寸法の範囲であれば、重り１１に近い位置も離れた位置も持つことができ、きめ細かな負荷調整が可能になる。
【００５１】
（２）脚の筋肉と腹筋の運動
脚の筋肉と腹筋の運動方法について図４を参照して説明する。図４は、脚の筋肉と腹筋の運動方法について示す説明図である。図４に示すように、運動者３０は、床に脚を伸ばして座り、位置決め部材１４に隣接して設置されているクッション部材１８を足の指の裏側の付け根辺りに載せ、運動器具１の第２端部を両手で持つ。
【００５２】
次に、脚を伸ばした状態で矢印に示すように、脚を上下する。これにより、脚の筋肉と腹筋とを鍛えることができる。右脚を鍛えたいときは、右脚に運動器具１を載せて右脚を上下させれば良い。左脚を鍛えたいときは、左脚に運動器具１を載せて同様に行えば良い。
【００５３】
運動器具１は、クッション部材１８を位置決め部材１４に隣接して配置しているので、足に運動器具１を載せても、クッション部材１８のクッション性により足が痛くなることはない。また、第２端部の先端には、球状部材２０が設置されているので、手で第２端部を握ったとき、第２端部先端の球状部材２０がストッパの働きをするので、手から運動器具１が抜けることはない。
【００５４】
（３）脚の内側の筋肉と腹筋の運動
脚の内側の筋肉と腹筋の運動方法について図５を参照して説明する。図５は、脚の内側の筋肉と腹筋の運動方法について示す説明図である。図５に示すように、運動者３０は、脚を伸ばして床に座り、足のつま先を外側にひねって足の裏に運動器具１のクッション部材１８の部分（第２端部側の位置決め部材１４近辺）を載せ、本体１０を脚の内側の上に載置し、運動器具１の第２端部を手で持つ。図５においては、左脚で行っている状態を示しているが、右脚を鍛えたいときは右脚で同様に行えば良い。
【００５５】
このとき、クッション部材１８が設置されていない場合や、クッション部材１８が設置されていても足の裏に痛みを感じる場合は、運動器具１と足の裏との間にタオル５０を挟んでも良い。このように運動器具１をセットした後、図５の矢印が示すように、脚をそのまま上下させる。これにより、脚の内側の筋肉と腹筋とを鍛えることができる。
【００５６】
筋肉により大きな負荷をかけたいときは、運動器具１の足の裏で支える位置を重り１１から離れた位置にすることにより、容易に負荷を大きくすることができ、負荷を大きくする度合いも支える位置の調整により細かく行うことができる。
【００５７】
（４）脚の外側の筋肉と腹筋の運動
脚の外側の筋肉と腹筋の運動方法について図６を参照して説明する。図６は、脚の外側の筋肉と腹筋の運動方法について示す説明図である。図６に示すように、運動者３０は、脚を伸ばして床に座り、足のつま先を内側にひねって足の小指側側面または足の甲に運動器具１のクッション部材１８の部分（第２端部側の位置決め部材１４近辺）を載せ、本体１０を脚の外側の上に載置し、運動器具１の第２端部を手で持つ。図６においては、右脚で行っている状態を示しているが、左脚を鍛えたいときは左脚で同様に行えば良い。
【００５８】
このとき、クッション部材１８が設置されていない場合や、クッション部材１８が設置されていても足に痛みを感じる場合は、運動器具１と足との間にタオル５０を挟んでも良い。このように運動器具１をセットした後、図６の矢印が示すように、脚をそのまま上下させる。これにより、脚の外側の筋肉と腹筋とを鍛えることができる。
【００５９】
筋肉により大きな負荷をかけたいときは、運動器具１の足で支える位置を重り１１から離れた位置にすることにより、てこの原理により容易に負荷を大きくすることができ、負荷を大きくする度合いも支える位置の調整により細かく行うことができる。
【００６０】
（５）脚の裏側の筋肉と背筋の運動
脚の裏側の筋肉と背筋の運動方法について、図７を参照して説明する。図７は、脚の裏側の筋肉と背筋の運動方法について示す説明図である。図７に示すように、運動者３０は、脚を伸ばしてうつぶせに床に横たわり、足の裏に運動器具１のクッション部材１８の部分（第２端部側の位置決め部材１４近辺）を載せ、第２端部を手で持つ。このとき、本体１０を脚の裏側の上に載置しても良い。図７においては、左脚で行っている状態を示しているが、右脚を鍛えたいときは右脚で同様に行えば良い。
【００６１】
このように運動器具１をセットした後、図７の矢印に示すように脚を上下させる。このとき、脚を伸ばしたまま上下すれば、背筋をより多く鍛えることができ、脚を曲げ伸ばししながら上下させれば、脚の裏側の筋肉も鍛えることができる。
【００６２】
筋肉により大きな負荷をかけたいときは、運動器具１の足で支える位置を重り１１から離れた位置にすることにより、てこの原理により容易に負荷を大きくすることができ、負荷を大きくする度合いも支える位置の調整により細かく行うことができる。
【００６３】
（６）いすに座った状態での腕の筋肉の運動方法  その１
いすに座った状態での腕の筋肉の運動法について、図８を参照して説明する。図８は、いすに座った状態での腕の筋肉の運動方法について示す説明図である。図８に示すように、運動者３０は、いす（不図示）に座り、運動器具１の第１端部側を上にし、第２端部の球状部材２０を床に付けて足の裏で球状部材２０を押さえて滑り止め部１６を手で持つ。
【００６４】
図８に示すように、左脚で球状部材２０を押さえたときは右手で滑り止め部１６を持つ。もし、右脚で球状部材２０を押さえたときは左手で滑り止め部１６を持つことになる。次に、図８の矢印で示すように、腕の筋肉を用いて運動器具１の重り取付部１２を運動者３０からみて前後に、或いは、左右に動かす。これにより、腕の筋肉を鍛えることができる。
【００６５】
筋肉により大きな負荷をかけたいときは、運動器具１の手で持つ位置を重り１１から離れた位置にすることにより、てこの原理により容易に負荷を大きくすることができ、負荷を大きくする度合いも支える位置の調整により細かく行うことができる。
【００６６】
（７）いすに座った状態での腕の筋肉の運動方法  その２
上記とは別の、いすに座った状態での腕の筋肉の運動方法について、図９を参照して説明する。図９は、いすに座った状態での腕の筋肉の運動方法について示す説明図である。
【００６７】
図９に示すように、運動者３０は、いす（不図示）に座り、運動器具１の第２端部の球状部材２０（不図示）をいすの背もたれ（不図示）といすの座面（不図示）との間にセットし、滑り止め部１６を手で持つ。次に図９の矢印に示すように、腕の筋肉を用いて運動器具１の重り取付部１２を上下させる。これにより、腕の筋肉を鍛えることができる。
【００６８】
筋肉により大きな負荷をかけたいときは、運動器具１の手で持つ位置を重り１１から離れた位置にすることにより、てこの原理により容易に負荷を大きくすることができ、負荷を大きくする度合いも支える位置の調整により細かく行うことができる。
【００６９】
（８）背筋の運動方法
立った状態で行う背筋の運動方法について、図１０を参照して説明する。図１０は、背筋の運動方法について示す説明図である。図１０に示すように、運動者３０は、立った状態で第２端部側を手前にし、釣り竿を持つように一方の手で第１端部に近い滑り止め部１６を持ち、もう一方の手で第１端部から離れた滑り止め部１６を持つ。
【００７０】
右手と左手のうちどちらで上側を持つかは、運動者３０の持ちやすい方の手で持てば良い。第２端部先端の球状部材２０は、腰の近辺に当てるが、球状部材２０と体との間には、釣りなどで竿を腰に当てるときに使用されるパッド６０を挟んでも良い。運動器具１は、球状部材２０を備えているので、体に当ててもダメージはほとんど無く、痛みも少ないが、重り１１の重量によって（重すぎるため）体に痛みを感じる場合は、パッド６０を使用すれば痛み無く運動できる。
【００７１】
この状態から、図１０の矢印で示すように、釣り竿を上下するように運動器具１の第２端部の球状部材２０を支点として第１端部側先端を上下させる。これにより、運動者３０は、背筋と腕の筋肉を鍛えることができる。このとき、球状部材２０は球形状を成すので、この部分を支点として運動器具１を揺動させることが容易となる。なお、この運動は、椅子に腰掛けても同様に行うことができる。
【００７２】
（９）背中のストレッチ運動方法
背中のストレッチ運動について、図１１を参照して説明する。図１１は、背中のストレッチ運動について示す説明図である。図１１に示すように、運動者３０は、床に座り、足の裏と足の裏とで運動器具１の第２端部側の球状部材２０を挟み込み、滑り止め部１６を両手で持って前屈みになる。
【００７３】
これにより、足の裏で挟んだ球状部材２０（不図示）を支点として、重り１１の重さによって両手が下方向に引っ張られるので、効果的に気持ちよく背中のストレッチを行うことができる。このとき、手で持つ位置を第２端部の球状部材２０に近づけるほど、てこの原理によって大きな力で下に引っ張られるので、より強くストレッチを行うことができる。
【００７４】
（１０）肩のストレッチ運動（内向きストレッチ）方法
肩のストレッチ運動（内向き）について、図１２を参照して説明する。図１２は、肩のストレッチ運動について示す説明図である。図１２に示すように、この運動では、肩を内向きにストレッチを行う。肩の内向きのストレッチとは、例えば右肩のストレッチを行う場合は、右腕を左肩側に（内向きに）に引っ張ることにより行うストレッチである。
【００７５】
図１２に示すように、運動者３０は、床に座り、左脚を伸ばして、右脚は縮め、右手で運動器具１の重り１１が上になるようにして、滑り止め部１６をつかみ、球状部材２０を右足の裏で押さえる。
【００７６】
次に、運動器具１が球状部材２０を支点として倒れるように（下向き矢印で示すように）動かすことにより、重り１１の重さにより運動器具１が倒れる方向に力が働き、右腕が引っ張られるとともに右肩が左側（運動者３０視点において）に引っ張られて、肩のストレッチ運動になる。このように行うことにより、右肩を左側に引っ張る、つまり内向きのストレッチを行うことができる。
【００７７】
このとき、右手でつかむ位置を第２端部の球状部材２０に近い位置にすることにより、てこの原理により、より強い力で腕と肩が引っ張られるので、強いストレッチを行うことができる。ここで、左肩のストレッチを行うには、上記の運動において腕と脚、足の左右を入れ替えて行えば良い。
【００７８】
（１１）肩のストレッチ運動（外向きストレッチ）方法
肩のストレッチ運動（外向き）について、図１３を参照して説明する。図１３は、肩のストレッチ運動について示す説明図である。図１３に示すように、この運動では、肩を外向きにストレッチを行う。肩の外向きのストレッチとは、例えば左肩のストレッチをする場合は、右肩方向ではなく、左肩の外側にむけて引っ張ることにより行うストレッチである。
【００７９】
運動者３０は、床に座り、左脚を伸ばして、右脚は縮め、左手で運動器具１の重り１１が上になるようにして、滑り止め部１６をつかみ、球状部材２０を右足の裏で押さえる。
【００８０】
次に、運動器具１が球状部材２０を支点として倒れるように（下向き矢印で示すように）動かすことにより、重り１１の重さにより運動器具１が倒れる方向に力が働き、左腕が引っ張られるとともに左肩が左側（運動者３０視点において）に引っ張られて、肩のストレッチ運動になる。このように行うことにより、てこの原理により、より強い力で腕と肩が引っ張られるので、強いストレッチを行うことができる。ここで、右肩のストレッチを行うには、上記の運動において腕と脚、足の左右を入れ替えて行えば良い。
【００８１】
（１２）両肩のストレッチ運動方法
両肩のストレッチについて、図１４を参照して説明する。図１４は、両肩のストレッチ運動について示す説明図である。図１４に示すように、運動者３０は床に座り、運動器具１の重り１１側を下に向け（球状部材２０を上向きにして）、運動器具１を背中に当てて、滑り止め部１６を両手で持つ。このとき、運動者３０は、脚を伸ばして座っても良いし、正座しても良い。
【００８２】
次に、運動者３０は、両肘を開いて（両肘の間隔がなるべく大きくなるように）背中を前に倒し、両手を下向きに動かすことにより、背中を支点として運動器具１の重り１１側をシーソーのように持ち上げる。これにより、両肩がストレッチされる。
【００８３】
このとき、滑り止め部１６のうち、なるべく球状部材２０に近い所を持ち、運動器具１のシーソー運動の支点となる位置を球状部材２０に近いところにすることにより、てこの原理によって、より負荷が両腕を通して肩に掛かるので、より強くストレッチすることができる。
【００８４】
＜第２実施形態＞
（１）構成
次に本発明の第２実施形態について説明する。第２実施形態は、運動器具１が別体として、棒状部材を備えているものである。図１５を参照して説明する。図１５は、棒状部材の平面図である。図１５に示すように、第２実施形態では、運動器具１は、第１棒状部材１００と、第１棒状部材１００の両端部に接続されたロープ１０２と、を更に備えている。ロープが接続されていない第２棒状部材１０３を更に備えていても良い。
【００８５】
ロープ１０２は、第１棒状部材１００の両端部に接続されていれば、接続方法は特に限定するものでは無いが、図１５に示すように、第１棒状部材１００の両端部に貫通穴が形成され、その穴にロープ１０２の両端がそれぞれ通されて、抜けないようにロープ１０２の両端部がそれぞれ結ばれている構成を好適に採用することができる。
【００８６】
これにより、運動者３０の体の大きさに合わせて、ロープ１０２の長さのうち第１棒状部材１００の一端からもう一端を結ぶ部分の長さを変えることができるので、後ほど説明する運動において便利である。
【００８７】
（２）背筋の運動方法
第２実施形態の運動器具１を用いた背筋の運動方法について図１６を参照して説明する。図１６は、背筋の運動方法を示す説明図である。図１６に示すように、運動者３０は、ロープ１０２と第１棒状部材１００との間を通して運動器具１の本体１０を床に置く。
【００８８】
次に、運動者３０は、球状部材２０を足で踏んで固定し、第１棒状部材１００を両手で持って背筋を用いて、矢印に示すように、球状部材２０を支点として本体１０の重り１１側を持ち上げて、下ろす、の動作を行う。このとき、球状部材２０と床との間にタオル５０を敷いても良い。また、運動者３０の身長に合わせて、ロープ１０２の長さを調整することが好ましい。
【００８９】
これにより、背筋を鍛えることが可能になるが、片腕で、腕力を用いて本体１０の重り１１側を持ち上げる運動を行うことにより、腕の筋肉の運動を行うこともできる。ここで、本体１０のうちロープ１０２をかける位置を球状部材２０側（球状部材２０側とは、第２端部の球状部材２０側を示す）にずらすにつれて、てこの原理により強い負荷を得ることができる。このように、重り１１を変えなくても、ロープ１０２の位置調整を行うだけで、負荷の強さを容易に、幅広く変えることが可能になる。
【００９０】
（３）腹筋の運動方法
第２実施形態の運動器具１を用いた腹筋の運動方法について図１７を参照して説明する。図１７は、腹筋の運動方法を示す説明図である。図１７に示すように、床に運動器具１の本体１０を、球状部材２０が運動者３０からみて手前に来るように置く。
【００９１】
次に、運動者３０は、第１棒状部材１００と、第２棒状部材１０３とのうち、一つを重り１１側の本体１０の下に置き、脚（の先側）と本体１０とで挟み込み、もう一つを球状部材２０側で本体１０の上に置き、脚（の付け根側）と本体１０とで挟み、仰向けに横たわる。
【００９２】
運動者３０は、この状態で矢印で示すように上半身を起こし、倒し、の運動を行うことにより、腹筋を鍛えることができる。運動者３０の脚先は、第２棒状部材１０３によって重り１１の重さで抑えられているので、腹筋運動において脚先が上がることなく、効果的に運動することができる。
【００９３】
このように、本発明の運動器具１は、簡単な構成ながら、様々な運動を効果的に行うことができ、負荷の調整も容易に、きめ細かく行うことができる。
【符号の説明】
【００９４】
１    運動器具
１０    本体
１１    重り
１２    重り取付部
１４    位置決め部材
１５    ストッパ
１６    滑り止め部
１７    ネジ
１８    クッション部材
２０    球状部材
３０    運動者
５０    タオル
６０    パッド
１００    第１棒状部材
１０２    ロープ
１０３    第２棒状部材
【要約】
【課題】  低コストで様々な部位を鍛えることができる運動器具を提供する。
【解決手段】  運動する者が体を鍛えるために用いる運動器具であって、棒状の本体と、前記本体の一方の端部である第１端部に配置された重りを取り付けるための重り取付部と、前記重り取付部の両端に設置された重りがずれないように前記重りを位置決めするための位置決め部材と、重りと、手で握ったときに手の滑りを防ぐ滑り止め部と、前記本体の長手方向両端のうちの少なくとも一方の先端に球状の球状部材を備えた運動器具。
【選択図】図１【図１】
0005746408.tif 000002
【図２】
0005746408.tif 000003
【図３】
0005746408.tif 000004
【図４】
0005746408.tif 000005
【図５】
0005746408.tif 000006
【図６】
0005746408.tif 000007
【図７】
0005746408.tif 000008
【図８】
0005746408.tif 000009
【図９】
0005746408.tif 000010
【図１０】
0005746408.tif 000011
【図１１】
0005746408.tif 000012
【図１２】
0005746408.tif 000013
【図１３】
0005746408.tif 000014
【図１４】
0005746408.tif 000015
【図１５】
0005746408.tif 000016
【図１６】
0005746408.tif 000017
【図１７】
0005746408.tif 000018